(57)【特許請求の範囲】
【請求項１】
海中に浮いた状態で魚を蝟集する浮魚礁の本体であって、
外面において魚の通過を許容する大きさの開口が形成され、当該開口に連通する空間部を有する中空の枠体と、
当該枠体の空間部の内部に配置されたフロート収容部であって、前記空間部を仕切ることにより当該フロート収容部の外部に前記魚が回遊可能な回遊空間を形成するとともに当該フロート収容部の内部に前記回遊空間から隔離された収容空間を形成する周壁を備えたフロート収容部と、
前記収容空間の内部に収容されたフロートと、
を備え、
前記フロート収容部の全体は、前記枠体の前記空間部に収容されている、
浮魚礁の本体。
【請求項２】
前記フロート収容部は、前記枠体の内部において、前記枠体の重心を通る位置に配置されている、
請求項１に記載の浮魚礁の本体。
【請求項３】
前記フロート収容部の前記周壁は、連続する曲面によって構成された筒状である、
請求項１または２に記載の浮魚礁の本体。
【請求項４】
前記フロート収容部は、その長手方向が垂直方向に平行になるように、前記枠体の前記空間部の内部に配置されている、
請求項３に記載の浮魚礁の本体。
【請求項５】
前記フロート収容部の前記収容空間の内部には、前記フロートとともに液体が収容されている、
請求項１〜４のいずれか１項に記載の浮魚礁の本体。
【請求項６】
前記開口に配設され、前記魚の大きさに応じて当該魚の前記開口の通過を制限する制限部材をさらに備えており、
前記枠体は、複数の棒状部材を有しており、
前記開口は、前記複数の棒状部材によって形成され、
前記制限部材は、前記棒状部材よりも細い線状の部材である、
請求項１〜５のいずれか１項に記載の浮魚礁の本体。
【請求項７】
前記枠体の形状は、球形または略球形の多面体である、
請求項１〜６のいずれか１項に記載の浮魚礁の本体。
【請求項８】
請求項１に記載の前記本体と、
前記本体を係留する係留索と、
海底に設置され、前記係留索の端部に取り付けられたアンカーと
を備えている、浮魚礁。
【発明の詳細な説明】
【技術分野】
【０００１】
本発明は、海中に浮いて魚を蝟集する浮魚礁の本体に関する。
【背景技術】
【０００２】
従来、海洋に生息する魚類を蝟集や滞留させるために、魚礁を海中に沈めることが行われる。魚礁には、種々の形態が存在するが、魚を蝟集する本体部を海中に浮かして使用される、いわゆる中層浮魚礁と呼ばれる魚礁が存在する。
【０００３】
この中層浮魚礁は、一般的には、特許文献１に記載されているように、魚を蝟集する網状の本体部と、本体部を浮かせるためのフロートと、海底に着地したアンカーと、当該本体部をアンカーに連結する係留索とを有している。このような浮魚礁では、本体部を浮かすためのフロートは、本体部の外側において、当該本体部の上部にロープなどによって連結されている。このような中層浮魚礁は、フロートによって本体部が海中に浮いた状態で魚を蝟集することが可能である。
【先行技術文献】
【特許文献】
【０００４】
【特許文献１】特開平６−１４６７５号公報
【発明の概要】
【発明が解決しようとする課題】
【０００５】
上記のような中層浮魚礁は、フロートは、本体部の外側において海中に露出しているので、貝などの付着物が付きやすく、当該付着物によってフロートの浮力が低下するおそれがある。
【０００６】
本発明はかかる問題を解消するものであり、フロートの浮力の低下を抑制することが可能な浮魚礁の本体を提供することを目的とする。
【課題を解決するための手段】
【０００７】
本発明の浮魚礁の本体は、海中に浮いた状態で魚を蝟集する浮魚礁の本体であって、外面において魚の通過を許容する大きさの開口が形成され、当該開口に連通する空間部を有する中空の枠体と、当該枠体の空間部の内部に配置されたフロート収容部であって、前記空間部を仕切ることにより当該フロート収容部の外部に前記魚が回遊可能な回遊空間を形成するとともに当該フロート収容部の内部に前記回遊空間から隔離された収容空間を形成する周壁を備えたフロート収容部と、前記収容空間の内部に収容されたフロートと、を備え、前記フロート収容部の全体は、前記枠体の前記空間部に収容されていることを特徴とする。
【０００８】
かかる構成によれば、フロートは、枠体内部に配置されたフロート収容部の周壁によって形成された収容空間に収容されている。収容空間は、フロート収容部の周壁によって当該フロート収容部の外部の回遊空間から隔離されている。そのため、収容空間に収容されたフロートは、回遊空間における海水に接触しないので、フロートに貝などの付着物が付きにくくなり、フロートの浮力の低下を抑制することが可能である。この浮魚礁の本体は、枠体内部の空間部において枠体とフロート収容部との間に回遊空間が形成されているので、枠体内部の回遊空間において魚が自由に回遊することが可能である。しかも、枠体の内側の回遊空間および枠体の外側を回遊する魚は、周壁によってフロートとの接触が回避されるので、フロートが魚によって損傷されるおそれが低減する。  
【０００９】
また、前記フロート収容部は、前記枠体の内部において、前記枠体の重心を通る位置に配置されているのが好ましい。
【００１０】
かかる構成によれば、フロートを枠体の重心近くに配置できるので、枠体が重心を回転中心として回転したり、傾いたりしにくい。
【００１１】
また、前記フロート収容部の前記周壁は、連続する曲面によって構成された筒状であるであるのが好ましい。
【００１２】
かかる構成によれば、枠体の内部の回遊空間を回遊する魚は、連続する曲面によって構成された筒状の周壁に沿って容易に泳ぐことが可能になる。
【００１３】
また、前記フロート収容部は、その長手方向が垂直方向に平行になるように、前記枠体の前記空間部の内部に配置されているのが好ましい。
【００１４】
かかる構成によれば、フロート収容部は、枠体の空間部内部において、縦置き、すなわち、筒状のフロート収容部の長手方向が垂直方向に平行になるように配置されているので、収容空間に収容されたフロートを枠体の重心に近づけて配置しやすくなる。そのため、枠体が重心を回転中心として回転したり、傾いたりしにくくなる。
【００１５】
また、前記フロート収容部の前記収容空間の内部には、前記フロートとともに液体が収容されているのが好ましい。
【００１６】
かかる構成によれば、液体が収容空間の内部にフロートともに収容されることによって、収容空間内部の液体の圧力と回遊空間内部の海水の圧力との差を低減することが可能になり、いいかえれば、収容空間の内外の圧力差を小さくすることが可能である。それによって、フロート収容部が回遊空間内部の海水から圧力を受けても凹みなどの変形を抑制することが可能である。しかも、収容空間の内部に液体が収容されることにより、当該液体が収容空間内部のフロートの移動を規制するのでフロート収容部が安定しやすくなる。
【００１７】
前記開口に配設され、前記魚の大きさに応じて当該魚の前記開口の通過を制限する制限部材をさらに備えており、前記枠体は、複数の棒状部材を有しており、前記開口は、前記複数の棒状部材によって形成され、前記制限部材は、前記棒状部材よりも細い線状の部材であるのが好ましい。
【００１８】
かかる構成によれば、枠体の開口に配設された制限部材が、魚の大きさに応じて当該魚の開口の通過を制限するので、枠体内部に入ってきた小魚を、枠体外部の大型の魚から守ることが可能である。しかも、制限部材は、枠体を構成する棒状部材よりも細い線状の部材であるので、潮の流れを受けても当該流れを受ける面積が小さいので、潮の流れから受ける圧力を低く抑えることが可能である。
【００１９】
前記枠体の形状は、球形または略球形の多面体であるのが好ましい。
【００２０】
球形または略球形の多面体の形状を有する枠体は、どの方向から見ても円形またはほぼ円形になるので、どの方向から潮の流れを受けても当該潮の流れから受ける圧力を低く抑えることが可能である。そのため、浮魚礁の本体を海中で安定した状態で維持することが可能である。
【００２１】
本発明の浮魚礁は、上記の前記本体と、前記本体を係留する係留索と、海底に設置され、前記係留索の端部に取り付けられたアンカーとを備えていることを特徴とする。
【００２２】
かかる構成によれば、フロートがフロート収容部の内部の収容空間に収容されているので、浮魚礁の施工作業または回収作業をするときに係留索がフロートに接触してフロートを破損するおそれがない。
【発明の効果】
【００２３】
以上説明したように、本発明の浮魚礁の本体によれば、フロートの浮力の低下を抑制することができる。
【図面の簡単な説明】
【００２４】
【図１】本発明の実施形態に係る魚礁本体を備えた浮魚礁を海中に設置した状態を示す斜視説明図である。
【図２】図１の浮魚礁の正面図である。
【図３】図１の浮魚礁の平面図である。
【図４】図１の浮魚礁本体の斜視図である。
【図５】図１の浮魚礁本体の平面図である。
【図６】図１の浮魚礁本体の断面図である。
【発明を実施するための形態】
【００２５】
以下、図面を参照しながら本発明の浮魚礁の本体の実施形態についてさらに詳細に説明する。
【００２６】
図１〜３に示される浮魚礁１は、魚を蝟集する魚礁本体２を海中に浮かして使用される、いわゆる中層浮魚礁である。魚礁本体２は、フロート２３（図４〜６参照）を収容するフロート収容部２２を備えている。
【００２７】
浮魚礁１は、主要な構成として、魚礁本体２と、当該魚礁本体２を係留する係留索（下方向索３および横方向索５）と、海底Ｇに設置され、これら係留索の端部に取り付けられたアンカー（下側アンカー４および横側アンカー６）とを備えている。これらの係留索およびアンカーの数や配置については本発明ではとくに限定されない。
【００２８】
例えば、図１〜３に示される浮魚礁１は、当該浮魚礁１の本体である魚礁本体２と、当該魚礁本体２の下端部に取り付けられた下方向索３と、複数（図１〜３では一対）の横方向索５と、下方向索３の下端部に取り付けられた下側アンカー４と、それぞれの横方向索５に取り付けられた横側アンカー６とを備えている。また、本実施形態の浮魚礁１は、横方向索５の途中に取り付けられた中間フロート７と、下方向索３を魚礁本体２に連結する下側連結部８と、それぞれの横方向索５を魚礁本体２に連結する横側連結部９とを備えているが、本発明はこれに限定されるものではなく、これらの部材は省略してもよい。
【００２９】
魚礁本体２は、海水に浮いて魚を蝟集する構成を有する。具体的には、図４〜６に示される魚礁本体２は、多面体の中空体からなる枠体２１と、その枠体２１の空間部２６の内部に配置されたフロート収容部２２と、フロート収容部２２の内部に収容された複数のフロート２３と、枠体２１の開口３１における魚の通過を制限する制限部材である複数のロープ４０とを備えている。
【００３０】
枠体２１は、複数の棒材２１ａと、棒材２１ａ間に配置されたすじかい２１ｂとを備えている。複数の棒材２１ａが互いに端部同士が溶接などによって結合することにより、多面体の中空体からなる枠体２１が形成されている。棒材２１ａは、例えば、Ｌ型鋼やＨ型鋼などが用いられる。すじかい２１ｂは、細長い棒鋼などからなり、枠体２１における棒材２１ａの間に対角線上に配置され、枠体２１の補強を行う。  このように棒材２１ａおよびすじかい２１ｂによって構成された枠体２１の内部には、空間部２６が形成される。空間部２６は、枠体２１の棒材２１ａ間に形成された開口３１を通して海中に開放されている。具体的には、開口３１は、枠体２１の外面に形成され、魚の通過を許容する大きさを有する。開口３１は、枠体２１の側方の全周囲において８方向に向けて開口している。枠体２１の内部の空間部２６は、これらの開口３１にそれぞれ連通している。したがって、これらの開口３１を通して魚が空間部２６内のフロート収容部２２周辺を取り囲む回遊空間３６に出入りすることが可能である。
【００３１】
ロープ４０は、図４に示されるように、棒材２１ａの間に形成された開口３１に配設され、棒材２１ａの間に水平方向に複数本（図４では４本）並んで配索されている。これにより、ロープ４０は、魚の大きさに応じて当該魚の開口３１の通過を制限する制限部材である。その結果、枠体２１内部の回遊空間３６に入ってきた小魚を、枠体２１外部の大型の魚から守ることが可能である。
【００３２】
制限部材であるロープ４０は、枠体２１を構成する強度部材である棒材２１ａおよびすじかい２１ｂよりも細い線状の部材であるので、潮の流れを受けても流れの抵抗が小さい。なお、棒材２１ａおよびすじかい２１ｂよりも細い（すなわち断面積が小さい）線状の部材を制限部材に採用すれば、ロープ以外の線状部材でも流れの抵抗が小さくすることが可能である。
【００３３】
枠体２１は、多面体形状を有する中空体であり、ほぼ球形の形状を有する。このように、枠体２１は、海中Ｓにおける安定性を考えた場合、球形または略球形の多面体であるのが好ましい。すなわち、枠体２１には、海中Ｓの潮の流れによって上下左右の三次元的に圧力が作用するので、当該枠体２１が球形または略球形の多面体であれば、水平方向、垂直方向から見ても円形またはそれに近い形状の図形になるから、流れの抵抗を小さくすることが可能である。
【００３４】
しかも、ほぼ球形の多面体形状の枠体２１は、海水からの抵抗を押さえながら枠体２１内部の空間部２６の容積を広く確保することが可能である。これにより、空間部２６の回遊空間３６内部で魚が回遊しやすくなり、魚の蝟集効果が向上する。なお、枠体２１は、球形または略球形の多面体であれば、上記の効果を奏することが可能である。
【００３５】
枠体２１は、水平方向を向く側面２８を有している。側面２８は、互いに対向する部分２８ａ、２８ｂを有しており、これらの側面２８ａ、２８ｂには、それぞれ互いに水平方向に離間する一対の横側連結金具２９が取り付けられている。
【００３６】
フロート収容部２２は、複数のフロート２３を収容可能な構成を有している。フロート収容部２２としては、例えば、上下端部が閉じた円柱状の鉄製容器などが用いられる。
【００３７】
すなわち、フロート収容部２２は、図４〜５に示されるように、筒状の周壁３３と、筒状の周壁３３の上部開口を閉じる天板３４と、筒状の周壁３３の下部開口を閉じる底板３５とを備えている。
【００３８】
筒状の周壁３３は、図６に示されるように、枠体２１の内部の空間部２６を仕切ることにより、２つの空間３６および３７を形成する。すなわち、周壁３３は、当該フロート収容部２２の外部に魚が回遊可能な回遊空間３６を形成し、それとともに当該フロート収容部２２の内部に回遊空間３６から隔離された収容空間３７を形成する。
【００３９】
フロート収容部２２の周壁３３は、連続する曲面によって構成された筒状であり、具体的には、円筒状である。したがって、魚が枠体２１の内部の回遊空間３６を回遊するときにフロート収容部２２の周壁３３に沿って円滑に回遊することが可能である。具体的には、本実施形態では、フロート収容部２２の周壁３３の外周面が連続する曲面によって筒状（円筒状）で構成されているので、魚は周壁３３の外周面に沿って円滑に回遊することが可能である。
【００４０】
なお、周壁３３は、連続する曲面によって構成された筒状であれば魚は周壁３３に沿って容易に泳ぐことが可能であり、円筒形状以外にも、楕円形断面の筒状形状などでもよい。
【００４１】
フロート収容部２２の上端部および下端部は、鋼材などからなる井桁状の連結部２５を介して枠体２１に連結されている。
【００４２】
フロート収容部２２内部の収容空間３７には、複数のフロート２３が収容されている。フロート２３は、海中Ｓで浮力を発生させる構成を有しており、ＡＢＳ樹脂などからなる中空体などで構成されている。フロート収容部２２の内部の収容空間３７にフロート２３を収容することにより、フロート２３はフロート収容部２２の周壁３３によって収容空間３７の外部の海水から隔離される。これにより、フロート２３に貝などの付着物が付きにくくなり、フロート２３の浮力の低下を抑えることができる。フロート２３の形状、数量については本発明ではとくに限定されないが、フロート収容部２２内部に収容された複数のフロート２３の浮力によって、魚礁本体２が海中Ｓで浮くことができればよい。
【００４３】
また、図６に示されるように、フロート収容部２２の内部には、複数のフロート２３とともに海水などの液体３８も収容されている。液体３８がフロート収容部２２に収容されることにより、フロート収容部２２が海中Ｓの水圧で凹みにくくなるとともに、フロート２３がフロート収容部２２内部で安定する。液体３８の種類は、本発明ではとくに限定されるものではなく、種々の液体が採用される。液体３８としては、例えば、海水、水、その他の液体などが採用される。液体３８として海水を採用する場合には、魚礁本体２を海中に沈める際に、当該フロート収容部２２の内部の収容空間３７に海水を導入するようにすればよい。その場合、海水を導入するための開口をフロート収容部２２の上部などに設けておき、海水の導入後に当該開口を栓で閉じればよい。または、フロート収容部２２の上部の天板３４を筒状の周壁３３内部に挿入されただけの状態、いわゆる落し蓋のような状態にしておけば、魚礁本体２を海中に沈める際に、天板３４と周壁３３との隙間から海水がフロート収容部２２の内部に導入される。なお、天板３４と周壁３３との隙間の大きさは、酸素や水が積極的に出入りしない程度の大きさ、すなわち、浮魚礁１を海中で長期間使用している間に上記の隙間を通してフロート収容部の外部から内部へ海水が多量に導入してフロート収容部２２の内部で貝などの付着物が発生しない程度の大きさに設定される。
【００４４】
フロート収容部２２は、枠体２１の内部において、フロート収容部２２は、枠体２１の重心Ｏ（図５参照）を通るように配置されている。これにより、フロート収容部２２に収容されたフロート２３を枠体２１の重心Ｏに近づけて配置することが可能になり、魚礁本体２がフロート２３の浮力によって傾いたりするなどの魚礁本体２の重心Ｏ周りの回転や揺れを有効に抑えることが可能である。しかも、フロート収容部２２は、当該フロート収容部２２の長手方向が垂直方向に延びるように縦置きに設置されているので、フロート収容部２２に収容されたフロート２３を枠体２１の重心Ｏに近づけて配置しやすくなっている。
【００４５】
また、複数のフロート２３は、フロート収容部２２の周囲に形成された魚を蝟集する回遊空間３６から隔離されたフロート収容部２２の内部の収容空間３７に収容されているので、空間部２６内部に蝟集された魚と接触して当該フロート２３および魚の双方が損傷するおそれが解消される。
【００４６】
また、枠体２１の上部の日光が当たりやすい位置には、海藻の養生を促す海藻養生部２４が適宜設けられている。海藻養生部２４は、海藻が生育しやすい形状であればよく、例えば網状体などを備えている。海藻養生部２４に海藻が生育すれば、海藻が枠体２１の空間部２６内部へ向かう日光を遮り、空間部２６内部が日陰になるので、当該空間部２６の回遊空間３６に魚が集まりやすくなる。
【００４７】
下方向索３は、化学繊維製のロープや鋼製のワイヤなどからなる線状部材であり、魚礁本体２から下方に延びるように当該魚礁本体２の下部に下側連結部８を介して取り付けられている。具体的には、下側連結部８は、下方向索３を魚礁本体２に連結するものであり、複数（図１〜２では２本）の連結索８ａ、８ｂを備えている。連結索８ａ、８ｂのそれぞれは、下方向索３と魚礁本体２とを連結している。これら連結索８ａ、８ｂは、魚礁本体２の下端部において互いに水平方向に離間して配置された複数（図１〜２では一対）の下側連結金具２７にそれぞれ連結されている。
【００４８】
下側アンカー４は、下方向索３の下端部に取り付けられる。具体的には、下側アンカー４の上面には、Ｕ字状またはリング状の取付部４ａが設けられ、当該取付部４ａには、下方向索３の下端部が連結されている。下側アンカー４は、海底Ｇに配置されることにより下方向索３を介して魚礁本体２を当該海底Ｇに係留する。
【００４９】
一対の横方向索５のそれぞれは、第１端部５１および第２端部５２を有する化学繊維製のロープや鋼製のワイヤなどからなる長尺の線状部材である。一対の横方向索５は、魚礁本体２から側方に離れる方向に延びるように、第１端部５１が魚礁本体２における側面２８のうち互いに対向する部分２８ａ、２８ｂに横側連結部９を介してそれぞれ取り付けられている。具体的には、横側連結部９は、横方向索５を魚礁本体２に連結するものであり、下側連結部８と同様に、複数（図１〜２では２本）の連結索９ａ、９ｂを備えている。連結索９ａ、９ｂのそれぞれは、横方向索５と魚礁本体２とを連結している。これら連結索９ａ、９ｂは、魚礁本体２の側面２８の対向する部分２８ａ、２８ｂにおいて互いに水平方向に離間して配置された複数（図１〜２では一対）の横側連結金具２９にそれぞれ連結されている。
【００５０】
横側アンカー６は、各々の横方向索５の第２端部５２に取り付けられ、海底Ｇにおける下側アンカー４に対して水平方向に離間した位置に配置されることにより、横側アンカー６は、横方向索５を介して魚礁本体２を海底Ｇに係留する。横側アンカー６が配置される位置は、例えば、図２に示されるように、海底Ｇから魚礁本体２の下面までの距離Ｌ１と横側アンカー６から下側アンカー４までの距離Ｌ２との関係によって設定される。
【００５１】
横側アンカー６の上面には、下側アンカー３と同様に、Ｕ字状またはリング状の取付部６ａが設けられている。取付部６ａには、横方向索５の側面２８ａ、２８ｂに連結されている。
【００５２】
本実施形態では、一対の横方向索５は、潮の流れの方向Ｄに対する水平方向の傾斜角θ（図３参照）が±４５度以内（すなわち、魚礁本体２の側方における全方向の半分をカバーする範囲）の方向Ｅ(図３では潮の流れの方向Ｄと平行な方向)に配置されているので、海中Ｓの潮の流れの影響を受けにくい。とくに、図３のように、一対の横方向索５が潮の流れの方向Ｄと平行な方向に配置されていれば、海中Ｓの潮の流れの影響を最も受けにくくなる。
【００５３】
中間フロート７は、横方向索５における第１端部５１と第２端部５２との間の部位に浮力を与える浮力付与部であり、横方向索５における第１端部５１と第２端部５２との間に取り付けられている。具体的には、中間フロート７は、複数のフロート体７ａを備えている。複数のフロート体７ａは、横方向索５の延びる方向に沿って並び、かつ、各フロート体７ａが横方向索５に個別に取り付けられている。各フロート体７ａは、その側面が横方向索５に密着するように取り付けられている。
【００５４】
中間フロート７の位置は、例えば、図２に示されるように、横方向索５における当該中間フロート７から魚礁本体２までの距離Ｌ３と当該中間フロート７から海底Ｇまでの距離Ｌ４との関係によって設定される。
【００５５】
（本実施形態の浮魚礁１の特徴）
（１）
以上のように、本実施形態の浮魚礁１の魚礁本体２では、フロート収容部２２は、枠体２１の空間部２６の内部に配置されている。そして、フロート収容部２２の周壁３３は、空間部２６を仕切ることにより、当該フロート収容部２２の外部に魚が回遊可能な回遊空間３６を形成し、それとともに当該フロート収容部２２の内部に回遊空間３６から隔離された収容空間３７を形成する。このような構成によれば、フロート２３は、枠体２１内部に配置されたフロート収容部２２の周壁３３によって形成された収容空間３７に収容されている。収容空間３７は、フロート収容部２２の周壁３３によって当該フロート収容部２２の外部の回遊空間３６から隔離されている。そのため、収容空間３７に収容されたフロート２３は、回遊空間３６における海水に接触しないので、フロート２３に貝などの付着物が付きにくくなり、フロート２３の浮力の低下を抑制することが可能である。  
【００５６】
また、この魚礁本体２は、枠体２１内部の空間部２６において枠体２１とフロート収容部２２との間に円環状の回遊空間３６が形成されているので、枠体２１内部の回遊空間３６において魚が自由に回遊することが可能である。
【００５７】
しかも、枠体２１の内側の回遊空間３６および枠体２１の外側を回遊する魚は、周壁３３によってフロート２３との接触が回避されるので、フロート２３が魚によって損傷されるおそれが低減する。とくに、枠体２１の外側を回遊する比較的大型の魚は、枠体２１によってフロート収容部２２との接触が回避されるので、フロート収容部２２およびフロート２３の損傷をより確実に低減することが可能である。
【００５８】
しかも、本実施形態では、フロート収容部２２として鉄製容器などの不透明な容器が用いられているので、フロート収容部２２が紫外線を遮断して、当該フロート収容部２２の内部に収容されたフロート２３を紫外線から保護することが可能である。その結果、樹脂などからなるフロート２３が紫外線によって劣化することを防ぐことが可能である。
【００５９】
（２）
本実施形態の魚礁本体２では、フロート収容部２２は、枠体２１の内部において、枠体２１の重心Ｏを通る位置に配置されている。そのため、フロート２３を枠体２１の重心Ｏ近くに配置できるので、枠体２１が重心Ｏを回転中心として回転したり、傾いたりしにくい。
【００６０】
（３）
本実施形態の魚礁本体２では、フロート収容部２２の周壁３３は、連続する曲面によって構成された筒状（例えば円筒状）であるので、枠体２１の内部の回遊空間３６を回遊する魚は、連続する曲面によって構成された筒状の周壁３３に沿って容易に泳ぐことが可能になる。
【００６１】
（４）
本実施形態の魚礁本体２では、フロート収容部２２は、縦置き、すなわち、筒状のフロート収容部２２の長手方向Ｃが垂直方向に平行になるように枠体２１の空間部２６の内部に配置されている。そのため、収容空間３７に収容されたフロート２３を枠体２１の重心Ｏに近づけて配置しやすくなる。そのため、枠体２１が重心Ｏを回転中心として回転したり、傾いたりしにくくなる。
【００６２】
（５）
本実施形態の魚礁本体２では、液体３８が収容空間３７の内部にフロート２３ともに収容されることによって、収容空間３７内部の液体３８の圧力と回遊空間３６内部の海水の圧力との差を低減することが可能になり、いいかえれば、収容空間３７の内外の圧力差を小さくすることが可能である。それによって、フロート収容部２２が回遊空間３６内部の海水から圧力を受けても凹みなどの変形を抑制することが可能であるしかも、収容空間３７の内部に液体３８が収容されることにより、当該液体３８が収容空間３７内部のフロート２３の移動を規制するので、フロート収容部２２が安定しやすくなる。
【００６３】
（６）
本実施形態の魚礁本体２では、魚礁本体２は、枠体２１の開口３１に配設され、魚の大きさに応じて当該魚の開口３１の通過を制限する制限部材であるロープ４０を備えている。枠体２は、複数の棒材２１ａを有しており、開口３１は、複数の棒材２１ａによって形成されている。ロープ４０は、枠体２１を構成する強度部材である棒材２１ａおよびすじかい２１ｂよりも細い線状の部材である。この構成によれば、枠体２１の開口３１に配設された制限部材であるロープ４０が、魚の大きさに応じて当該魚の開口３１の通過を制限するので、枠体２１内部に入ってきた小魚を、枠体２１外部の大型の魚から守ることが可能である。したがって、枠体２１を構成する棒材２１ａおよびすじかい２１ｂを増設することなく、棒材２１ａおよびすじかい２１ｂよりも軽量のロープ４０によって、開口３１を通過する魚の大きさを調整することが可能になり、魚礁本体２の重量の増加を抑えることが可能である。しかも、ロープ４０は枠体２１を構成する棒材２１ａおよびすじかい２１ｂよりも細い線状の部材なので、潮の流れから受ける圧力を低く抑えることが可能である。
【００６４】
（７）
本実施形態の魚礁本体２では、枠体２１の形状は、球形または略球形の多面体である。そのため、枠体２１は、どの方向から見ても円形またはほぼ円形になるので、どの方向から潮の流れを受けても当該潮の流れから受ける圧力を低く抑えることが可能である。そのため、浮魚礁１の魚礁本体２を海中Ｓで安定した状態で維持することが可能である。
【００６５】
（８）
本実施形態の浮魚礁１は、上記の魚礁本体２と、魚礁本体２を係留する係留索（すなわち、下方向索３および横方向索５）と、海底Ｇに設置され、これら係留索の端部に取り付けられたアンカー（下側アンカー４および横側アンカー６）とを備えている。この構成では、魚礁本体２において、フロート２３がフロート収容部２２の内部の収容空間３７に収容されているので、浮魚礁１の施工作業または回収作業をするときに係留索（すなわち、下方向索３および横方向索５）がフロート２３に接触してフロート２３を破損するおそれがない。
【符号の説明】
【００６６】
１  浮魚礁
２  魚礁本体
２１  枠体
４０  ロープ（線状部材）
２２  フロート収容部
２３  フロート
２６  空間部
３１  開口
３３  周壁
３６  回遊空間
３７  収容空間
３８  液体
Ｇ  海底
Ｓ  海中
【図１】
0006468885.tif 000002
【図２】
0006468885.tif 000003
【図３】
0006468885.tif 000004
【図４】
0006468885.tif 000005
【図５】
0006468885.tif 000006
【図６】
0006468885.tif 000007